(57)【要約】本発明は、第１の接着層と、第２の接着層と、前記第１の接着層と前記第２の接着層との間に重ねられた取り外し可能な接着層と、を備える光学用接着装置を開示している。また、本発明は、光学用接着装置を用いた接触感知ディスプレイ及び光学用接着装置の製造方法を開示している。【選択図】図２
2014516089.tif 000002
【特許請求の範囲】
【請求項１】
第１の接着層と、
第２の接着層と、
前記第１の接着層と前記第２の接着層との間に重ねられた取り外し可能な接着層と、
を備える光学用接着装置。
【請求項２】
前記取り外し可能な接着層は、伸展／分解接着層である請求項１の光学用接着装置。
【請求項３】
前記取り外し可能な接着層は、熱分解接着層である請求項１の光学用接着装置。
【請求項４】
前記取り外し可能な接着層は、紫外線露光／分解接着層である請求項１の光学用接着装置。
【請求項５】
前記第１の接着層と前記第２の接着層とは、両方とも熱流接着層である請求項１の光学用接着装置。
【請求項６】
前記第１の接着層は、感圧接着層であり、
前記第２の接着層は、熱流接着層である請求項１の光学用接着装置。
【請求項７】
前記第１の接着層は、熱流接着層であり、
前記第２の接着層は、感圧接着層である請求項１の光学用接着装置。
【請求項８】
タッチパネルと、
ディスプレイパネルと、
前記タッチパネルと前記ディスプレイパネルとを接着するために構成された光学用接着装置と、
を備え、
前記光学用接着装置は、第１の接着層と、第２の接着層と、前記第１の接着層と前記第２の接着層との間に重ねられた取り外し可能な接着層と、を備える光学用接着装置を用いた接触感知ディスプレイ。
【請求項９】
前記取り外し可能な接着層は、伸展／分解接着層である請求項８の接触感知ディスプレイ。
【請求項１０】
前記取り外し可能な接着層は、熱分解接着層である請求項８の接触感知ディスプレイ。  
【請求項１１】
前記取り外し可能な接着層は、紫外線露光／分解接着層である請求項８の接触感知ディスプレイ。
【請求項１２】
前記第１の接着層と前記第２の接着層とは、両方とも熱流接着層である請求項８の接触感知ディスプレイ。
【請求項１３】
前記第１の接着層は、前記タッチパネルを接着するための感圧接着層であり、
前記第２の接着層は、前記ディスプレイパネルを接着するための熱流接着層である請求項８の接触感知ディスプレイ。
【請求項１４】
前記第１の接着層は、前記ディスプレイパネルを接着するための感圧接着層であり、
前記第２の接着層は、前記タッチパネルを接着するための熱流接着層である請求項８の接触感知ディスプレイ。
【請求項１５】
前記第１の接着層は、前記タッチパネルを接着するための熱流接着層であり、
前記第２の接着層は、前記ディスプレイパネルを接着するための感圧接着層である請求項８の接触感知ディスプレイ。
【請求項１６】
前記第１の接着層は、前記ディスプレイパネルを接着するための熱流接着層であり、
前記第２の接着層は、前記タッチパネルを接着するための感圧接着層である請求項８の接触感知ディスプレイ。
【請求項１７】
第１の接着層と第２の接着層との間に取り外し可能な接着層を重ねる光学用接着装置の製造方法。
【請求項１８】
前記第１の接着層は、感圧接着層である請求項１７の方法。
【請求項１９】
前記第２の接着層は、前記取り外し可能な接着層に積層された熱流接着層である請求項１７の方法。
【請求項２０】
前記第１の接着層は、熱流接着層であり、
前記第２の接着層は、前記取り外し可能な接着層に積層された感圧接着層である請求項１７の方法。
【請求項２１】
前記取り外し可能な接着層は、前記第１の接着層に積層され、伸展／分解接着層である請求項１７の方法。
【請求項２２】
前記取り外し可能な接着層は、前記第１の接着層に積層された熱分解接着層である請求項１７の方法。  
【請求項２３】
前記取り外し可能な接着層は、前記第１の接着層に積層された紫外線露光／分解接着層である請求項１７の方法。
【発明の詳細な説明】
【技術分野】
【０００１】
本発明は、概して接着装置に関し、特に光学用接着装置、それを用いた接触感知ディスプレイ及びその製造方法に関する。
【背景技術】
【０００２】
接触感知ディスプレイは、接触点を感知するためのタッチパネルと、コンテンツを表示するためのディスプレイパネルと、を備える。タッチパネル及びディスプレイパネルは、光学用接着装置により一緒に接着される。
【０００３】
従来の光学用接着装置は、通常、一層構造である。接触感知ディスプレイは、バックライト光源を使って照らされると、ディスプレイパネルにはカラーブロックが現れる。たとえば、ディスプレイの背景が白色ならばカラーブロックは黄色を表示し、ディスプレイの背景が灰色ならばカラーブロックは白色を表示する。このような現象はムラと呼ばれる。ムラは、ＬＣＤ（Liquid Crystal Display）等を用いた電子装置ではよく見られる不具合である。ムラは、いつもコントラスト比を低下させ、不均一な領域を形成し、画像のエッジをぼやけさせる。ムラによって引き起こされるカラーブロックが１ピクセルより広い領域を覆う場合、カラーブロックは画質に影響する。そのため、ユーザは、ディスプレイ上の画像を見ることが困難になってしまう。
【０００４】
複数の接着層を有する接着装置は、上記の問題を解決するために、タッチパネルとディスプレイパネルの接着に用いられる。例えば、多層接着装置は、感圧接着層と熱流接着層と、が重なり合っている。しかしながら、多層接着装置には分解の問題がある。つまり、接着層が固すぎて、各層を分解することが困難となる。もしも、タッチパネルやディスプレイパネルがこの問題に直面すると、分解の難しさは、タッチパネルやディスプレイパネルの再加工の難しさを招いてしまう。分解がタッチパネルやディスプレイパネルへのダメージの原因となってしまう。
【０００５】
したがって、従来のタッチパネルの上記のような欠点を克服する光学用接着装置、接触感知ディスプレイ及びその製造方法の提供が望まれている。
【発明の概要】
【課題を解決するための手段】
【０００６】
したがって、本発明は、多層接着層から容易に分解できる取り外し可能な接着層を備える光学用接着装置を提供する。本発明の第１の態様は、第１の接着層と、第２の接着層と、前記第１の接着層と前記第２の接着層との間に重ねられた取り外し可能な接着層と、を備える光学用接着装置を提供することである。
【０００７】
本発明の他の態様は、タッチパネルと、ディスプレイパネルと、前記タッチパネルと前記ディスプレイパネルとを接着するために構成された光学用接着装置と、を備え、前記光学用接着装置は、第１の接着層と、第２の接着層と、前記第１の接着層と前記第２の接着層との間に重ねられた取り外し可能な接着層と、を備える光学用接着装置を用いた接触感知ディスプレイを提供することである。
【０００８】
本発明の第３の態様は、第１の接着層と第２の接着層との間に取り外し可能な接着層を重ねる光学用接着装置の製造方法を提供することである。
【図面の簡単な説明】
【０００９】
【図１】図１は本発明の実施の形態にかかる光学用接着装置の断面図を示す。
【図２】図２は本発明の実施の形態にかかる光学用接着装置の分解図を示す。
【図３】図３は本発明の実施の形態にかかる接触感知ディスプレイの平面図を示す。
【図４】図４は図３のＡ−Ａ線に沿って得られた光学用接着層の断面図を示す。
【図５】図５は図３のＡ−Ａ線に沿って得られた断面図を示す。
【図６】図６は図３の光学用接着層の分解の概略図を示す。
【図７】図７は光学用接着装置の製造方法のフローチャートを示す。
【発明を実施するための形態】
【００１０】
本発明の詳細な説明は、以下の実施の形態に説明され、本発明のスコープを限定するものではなく、他の応用を適合させることもできる。さらに図面は、詳細に図解しており、開示された構成要素の数量は、構成要素の数量を具体的に例示している場合を除いて、開示された数量より多く又は少なくてもよいことが理解される。
【００１１】
図１は、本発明の実施の形態にかかる光学用接着装置の断面図を示す。光学用接着装置は、第１の接着層１０と、第２の接着層３０と、第１の接着層１０と第２の接着層３０との間に重ねられた取り外し可能な接着層２０と、を備える。
【００１２】
上述の光学用接着装置においては、第１の接着層１０と第２の接着層３０は、ムラを除去するためのＯＣＡ(Optically Clear Adhesives)である。第１の接着層１０と第２の接着層３０は、両方とも熱流接着層であってもよい。熱流接着層は、タッチパネルやディスプレイパネルの粗面上に積層される。
【００１３】
熱流型の材料は、室温で固体の状態である。熱流型の材料は、半液体や半固体の状態に変化し、温度が所定の値を超えると、粘着性が高まり、化学的な特徴も変化する。熱流型の材料は、紫外線（ＵＶ）凝固、熱凝固、吸引嫌気性凝固、及び、湿気凝固のような追加工程を採用することによって、固体の状態に戻ることができる。
【００１４】
他の実施の形態においては、第１の接着層１０は、感圧接着層であってもよい。また、第２の接着層は、熱流接着層であってもよい。感圧接着層は、室温で固体の状態の間は、粘着性を有し、圧力に対してとても敏感になる。感圧接着層は、加熱工程なしで、押圧されている間、基材の表面に接着され、圧力が増加するとさらに強く接着される。典型的な感圧接着材（ＰＣＡ）は、透明接着テープや両面テープなどである。
【００１５】
取り外し可能な接着層２０は、加工後に、第１の接着層１０と第２の接着層３０から容易に分解できるＯＣＡの一種であってもよい。
【００１６】
図２は、本発明の実施の形態にかかる光学用接着装置の分解図を示す。本実施の形態においては、取り外し可能な接着層２０は、伸展／分解接着層となっている。
【００１７】
この伸展／分解接着層は、変形可能な基材を有する。分解において、取り外し可能な接着層２０は、一端から伸ばされる。これにより、基材の形が変形して、厚さが減少し、変形により基材の両側が第１の接着層１０と第２の接着層３０から分離される。
【００１８】
他の実施例においては、取り外し可能な接着層２０は、熱分解接着層であってもよい。分解の際に、熱分解接着層は、ＯＣＡを老化させるために、高温で一定時間加熱されてもよい。これにより、接着力が低下または消滅する。
【００１９】
また、取り外し可能な接着層２０は、紫外線露光／分解接着層であってもよい。分解の際に、紫外線露光／分解接着層は、ＯＣＡを老化させるために、一定時間紫外線を露光されてもよい。これにより、接着力は低下または消滅する。
【００２０】
図３は、本発明の実施の形態にかかる接触感知ディスプレイの平面図を示す。接触感知ディスプレイは、順次積層された、タッチパネル１００と、光学用接着装置２００と、ディスプレイパネル３００と、を備える。図４は、図３のＡ−Ａ線に沿って得られた光学用接着層の断面図である。光学用接着装置２００は、第１の接着層２１０と、第２の接着層２３０と、第１の接着層２１０と第２の接着層２３０との間に設けられた取り外し可能な接着層２２０と、を備える。
【００２１】
上記の光学用接着装置においては、第１の接着層２１０と第２の接着層２３０は、ムラを除去するためのＯＣＡである。
【００２２】
図５は、図３のＡ−Ａ線に沿って得られた断面図である。第１の接着層２１０はタッチパネル１００を接着し、第２の接着層２３０はディスプレイパネル３００を接着する。ディスプレイパネルは、ＬＣＤパネル、プラズマパネル、及びＯＬＥＤ（Organic Light Emitting Diode）パネル等であってもよい。
【００２３】
第１の接着層２１０と第２の接着層２３０は、タッチパネル１００またはディスプレイパネル３００の粗面上に積層するために、両方とも熱流接着層であってもよい。
【００２４】
熱流型の材料は、室温で固体の状態である。また、熱流型の材料は、半液体の状態、半固体の状態に変化し、温度が所定の値を超えると、粘着性が高まり、化学的な特徴も変化する。熱流型の材料は、紫外線（ＵＶ）凝固、熱凝固、吸引嫌気性凝固、及び、湿気凝固のような追加工程を採用することによって、固体の状態に戻ることができる。
【００２５】
別の実施の形態においては、第１の接着層２１０は、感圧接着層であってもよい。また、第２の接着層２３０は、熱流接着層であってもよい。感圧接着層は、室温で固体の状態の間は、粘着性を有し、圧力に対してとても敏感になる。感圧接着層は、加熱工程なしで、押圧されている間、基材の表面に接着され、圧力が増加するとさらに強く接着される。
【００２６】
他の実施の形態においては、第１の接着層２１０は、ディスプレイパネル３００を接着してもよい。第２の接着層は、タッチパネル１００を接着してもよい。
【００２７】
図６は、図３の光学用接着層の分解の概略図を示す。取り外し可能な接着層２２０は、加工後に、第１の接着層２１０と第２の接着層２３０から容易に分解できるＯＣＡの一種である。取り外し可能な接着層２２０が分解されると、タッチパネル１００とディスプレイパネル３００は、互いに分離可能である。これにより、問題のあるタッチパネル１００またはディスプレイパネル３００は、再加工に進む。再加工後は、タッチパネル１００とディスプレイパネル３００は、本発明の新しい光学用接着装置を用いて、一緒に接着される。
【００２８】
本実施の形態においては、取り外し可能な接着層２２０は、伸展／分解接着層となっている。この伸展／分解接着層は、変形可能な基材を有する。分解において、取り外し可能な接着層２２０は、一端から伸ばされる。これにより、基材の形が変形して、厚さが減少し、変形により基材の両側が第１の接着層２１０と第２の接着層２３０から分離される。
【００２９】
他の実施例においては、取り外し可能な接着層２２０は、熱分解接着層であってもよい。分解の際に、熱分解接着層は、ＯＣＡを老化させるために、高温で一定時間加熱されてもよい。これにより、接着力が低下または消滅する。
【００３０】
また、取り外し可能な接着層２２０は、紫外線露光／分解接着層であってもよい。分解の際に、紫外線露光／分解接着層は、ＯＣＡを老化させるために、一定時間紫外線を露光されてもよい。これにより、接着力は低下または消滅する。
【００３１】
図７は、光学用接着装置の製造方法のフローチャートを示す。光学用接着装置は、第１の接着層と第２の接着層との間に重ねられた取り外し可能な接着層を有する。この方法は、さらに以下のステップを含む。
【００３２】
ステップＳ１００においては、第１の接着層を準備する。第１の接着層は、感圧接着層であってもよい。感圧接着層は、室温で固体の状態の間は、粘着性を有し、圧力に対してとても敏感になる。感圧接着層は、加熱工程なしで、押圧されている間、基材の表面に接着され、圧力が増加するとさらに強く接着される。
【００３３】
他の実施の形態においては、第１の接着層は、熱流接着層であってもよく、ムラを除去するためのＯＣＡの一種である。熱流型の材料は、室温で固体の状態である。熱流型の材料は、半液体や半固体の状態に変化し、温度が所定の値を超えると、粘着性が高まり、化学的な特徴も変化する。熱流型の材料は、紫外線（ＵＶ）凝固、熱凝固、吸引嫌気性凝固、及び、湿気凝固のような追加工程を採用することによって、固体の状態に戻ることができる。
【００３４】
ステップＳ２００においては、取り外し可能な接着層は、第１の接着層上に重ねられている。取り外し可能な接着層は、加工後に、第１の接着層と第２の接着層から容易に分解できるＯＣＡの一種である。
【００３５】
一実施の形態においては、取り外し可能な接着層は、伸展／分解接着層となっている。この伸展／分解接着層は、変形可能な基材を有する。分解において、取り外し可能な接着層は、一端から伸ばされる。これにより、基材の形が変形して、厚さが減少し、変形により基材の両側が第１の接着層と第２の接着層から分離される。
【００３６】
他の実施の形態においては、取り外し可能な接着層は、熱分解接着層であってもよい。分解の際に、熱分解接着層は、ＯＣＡを老化させるために、高温で一定時間加熱されてもよい。これにより、接着力が低下または消滅する。
【００３７】
また、取り外し可能な接着層は、紫外線露光／分解接着層であってもよい。分解の際に、紫外線露光／分解可能な接着層は、ＯＣＡを老化させるために、一定時間紫外線を露光されてもよい。これにより、接着力は低下または消滅する。
【００３８】
ステップＳ３００においては、第２の接着層が、取り外し可能な接着層上に重ねられる。第２の接着層は、熱流接着層であってもよい。
【００３９】
本発明は、構造的な特徴及び／または方法論的な図に特有の言語で表現されているが、添付の特許請求の範囲に定義された発明は、表現された特有の特徴または図に限定されるものではない。さらに、上記の特有の特徴及び図は、特許請求の範囲に記載された発明を実施する一例として開示されている。
【図１】
2014516089.tif 000003
【図２】
2014516089.tif 000004
【図３】
2014516089.tif 000005
【図４】
2014516089.tif 000006
【図５】
2014516089.tif 000007
【図６】
2014516089.tif 000008
【図７】
2014516089.tif 000009
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
第１の接着層と、
第２の接着層と、
前記第１の接着層と前記第２の接着層との間に重ねられた取り外し可能な接着層と、
を備える光学用接着装置。
【請求項２】
前記取り外し可能な接着層は、伸展／分解接着層、熱分解接着層、または、紫外線露光／分解接着層である請求項１の光学用接着装置。
【請求項３】
前記第１の接着層と前記第２の接着層とは、両方とも熱流接着層である請求項１または２に記載の光学用接着装置。
【請求項４】
前記第１の接着層は、感圧接着層であり、
前記第２の接着層は、熱流接着層である請求項１または２に記載の光学用接着装置。
【請求項５】
タッチパネルと、
ディスプレイパネルと、
前記タッチパネルと前記ディスプレイパネルとを接着するために構成された光学用接着装置と、
を備え、
前記光学用接着装置は、第１の接着層と、第２の接着層と、前記第１の接着層と前記第２の接着層との間に重ねられた取り外し可能な接着層と、を備える光学用接着装置を用いた接触感知ディスプレイ。
【請求項６】
前記取り外し可能な接着層は、伸展／分解接着層、熱分解接着層、または、紫外線露光／分解接着層である請求項５の接触感知ディスプレイ。
【請求項７】
前記第１の接着層と前記第２の接着層とは、両方とも熱流接着層である請求項５または６に記載の接触感知ディスプレイ。
【請求項８】
前記第１の接着層は、前記タッチパネルを接着するための感圧接着層であり、
前記第２の接着層は、前記ディスプレイパネルを接着するための熱流接着層である請求項５または６に記載の接触感知ディスプレイ。
【請求項９】
前記第１の接着層は、前記ディスプレイパネルを接着するための感圧接着層であり、
前記第２の接着層は、前記タッチパネルを接着するための熱流接着層である請求項５または６に記載の接触感知ディスプレイ。
【請求項１０】
第１の接着層と第２の接着層との間に取り外し可能な接着層を重ねる光学用接着装置の製造方法。
【請求項１１】
前記第１の接着層は、感圧接着層であり、
前記第２の接着層は、前記取り外し可能な接着層に積層された熱流接着層である請求項１０の方法。
【請求項１２】
前記第１の接着層は、熱流接着層であり、
前記第２の接着層は、前記取り外し可能な接着層に積層された感圧接着層である請求項１０の方法。
【請求項１３】
前記取り外し可能な接着層は、前記第１の接着層に積層された伸展／分解接着層、熱分解接着層、または、紫外線露光／分解接着層である請求項１０〜１２のいずれか一項の方法。
【請求項１４】
請求項５〜９のいずれか一項に記載の接触感知ディスプレイの再加工方法であって、
前記タッチパネルと前記ディスプレイパネルとが互いに分離されるように、前記取り外し可能な接着層を分解し、
前記タッチパネル及び前記ディスプレイパネルの少なくとも一方を再加工する再加工方法。
【手続補正２】
【補正対象書類名】明細書
【補正対象項目名】全文
【補正方法】変更
【補正の内容】
【発明の詳細な説明】
【技術分野】
【０００１】
本発明は、概して接着装置に関し、特に光学用接着装置、光学用接着装置を用いた接触感知ディスプレイ、光学用接着装置の製造方法、及び、接触感知ディスプレイの再加工方法に関する。
【背景技術】
【０００２】
接触感知ディスプレイは、接触点を感知するためのタッチパネルと、コンテンツを表示するためのディスプレイパネルと、を備える。タッチパネル及びディスプレイパネルは、光学用接着装置により一緒に接着される。
【０００３】
従来の光学用接着装置は、通常、一層構造である。接触感知ディスプレイは、バックライト光源を使って照らされると、ディスプレイパネルにはカラーブロックが現れる。たとえば、ディスプレイの背景が白色ならばカラーブロックは黄色を表示し、ディスプレイの背景が灰色ならばカラーブロックは白色を表示する。このような現象はムラと呼ばれる。ムラは、ＬＣＤ（Liquid Crystal Display）等を用いた電子装置ではよく見られる不具合である。ムラは、いつもコントラスト比を低下させ、不均一な領域を形成し、画像のエッジをぼやけさせる。ムラによって引き起こされるカラーブロックが１ピクセルより広い領域を覆う場合、カラーブロックは画質に影響する。そのため、ユーザは、ディスプレイ上の画像を見ることが困難になってしまう。
【０００４】
複数の接着層を有する接着装置は、上記の問題を解決するために、タッチパネルとディスプレイパネルの接着に用いられる。例えば、多層接着装置は、感圧接着層と熱流接着層と、が重なり合っている。しかしながら、多層接着装置には分解の問題がある。つまり、接着層が固すぎて、各層を分解することが困難となる。もしも、タッチパネルやディスプレイパネルがこの問題に直面すると、分解の難しさは、タッチパネルやディスプレイパネルの再加工の難しさを招いてしまう。分解がタッチパネルやディスプレイパネルへのダメージの原因となってしまう。
【０００５】
したがって、従来のタッチパネルの上記のような欠点を克服する光学用接着装置、接触感知ディスプレイ及びその製造方法の提供が望まれている。
【先行技術文献】
【特許文献】
【０００６】
【特許文献１】中国特許出願公開第１０１１８３２８５号明細書
【特許文献２】台湾実用新案公開第Ｍ３７４９６３Ｕ１号明細書
【特許文献３】国際公開第２００９／０８９１３７号
【発明の概要】
【課題を解決するための手段】
【０００７】
したがって、本発明は、多層接着層から容易に分解できる取り外し可能な接着層を備える光学用接着装置を提供する。本発明の第１の態様は、第１の接着層と、第２の接着層と、前記第１の接着層と前記第２の接着層との間に重ねられた取り外し可能な接着層と、を備える光学用接着装置を提供することである。
【０００８】
本発明の他の態様は、タッチパネルと、ディスプレイパネルと、前記タッチパネルと前記ディスプレイパネルとを接着するために構成された光学用接着装置と、を備え、前記光学用接着装置は、第１の接着層と、第２の接着層と、前記第１の接着層と前記第２の接着層との間に重ねられた取り外し可能な接着層と、を備える光学用接着装置を用いた接触感知ディスプレイを提供することである。
【０００９】
本発明の第３の態様は、第１の接着層と第２の接着層との間に取り外し可能な接着層を重ねる光学用接着装置の製造方法を提供することである。
【図面の簡単な説明】
【００１０】
【図１】図１は本発明の実施の形態にかかる光学用接着装置の断面図を示す。
【図２】図２は本発明の実施の形態にかかる光学用接着装置の分解図を示す。
【図３】図３は本発明の実施の形態にかかる接触感知ディスプレイの平面図を示す。
【図４】図４は図３のＡ−Ａ線に沿って得られた光学用接着層の断面図を示す。
【図５】図５は図３のＡ−Ａ線に沿って得られた断面図を示す。
【図６】図６は図３の光学用接着層の分解の概略図を示す。
【図７】図７は光学用接着装置の製造方法のフローチャートを示す。
【発明を実施するための形態】
【００１１】
本発明の詳細な説明は、以下の実施の形態に説明され、本発明のスコープを限定するものではなく、他の応用を適合させることもできる。さらに図面は、詳細に図解しており、開示された構成要素の数量は、構成要素の数量を具体的に例示している場合を除いて、開示された数量より多く又は少なくてもよいことが理解される。
【００１２】
図１は、本発明の実施の形態にかかる光学用接着装置の断面図を示す。光学用接着装置は、第１の接着層１０と、第２の接着層３０と、第１の接着層１０と第２の接着層３０との間に重ねられた取り外し可能な接着層２０と、を備える。
【００１３】
上述の光学用接着装置においては、第１の接着層１０と第２の接着層３０は、ムラを除去するためのＯＣＡ(Optically Clear Adhesives)である。第１の接着層１０と第２の接着層３０は、両方とも熱流接着層であってもよい。熱流接着層は、タッチパネルやディスプレイパネルの粗面上に積層される。
【００１４】
熱流型の材料は、室温で固体の状態である。熱流型の材料は、半液体や半固体の状態に変化し、温度が所定の値を超えると、粘着性が高まり、化学的な特徴も変化する。熱流型の材料は、紫外線（ＵＶ）凝固、熱凝固、吸引嫌気性凝固、及び、湿気凝固のような追加工程を採用することによって、固体の状態に戻ることができる。
【００１５】
他の実施の形態においては、第１の接着層１０は、感圧接着層であってもよい。また、第２の接着層は、熱流接着層であってもよい。感圧接着層は、室温で固体の状態の間は、粘着性を有し、圧力に対してとても敏感になる。感圧接着層は、加熱工程なしで、押圧されている間、基材の表面に接着され、圧力が増加するとさらに強く接着される。典型的な感圧接着材（ＰＣＡ）は、透明接着テープや両面テープなどである。
【００１６】
取り外し可能な接着層２０は、加工後に、第１の接着層１０と第２の接着層３０から容易に分解できるＯＣＡの一種であってもよい。
【００１７】
図２は、本発明の実施の形態にかかる光学用接着装置の分解図を示す。本実施の形態においては、取り外し可能な接着層２０は、伸展／分解接着層となっている。
【００１８】
この伸展／分解接着層は、変形可能な基材を有する。分解において、取り外し可能な接着層２０は、一端から伸ばされる。これにより、基材の形が変形して、厚さが減少し、変形により基材の両側が第１の接着層１０と第２の接着層３０から分離される。
【００１９】
他の実施例においては、取り外し可能な接着層２０は、熱分解接着層であってもよい。分解の際に、熱分解接着層は、ＯＣＡを老化させるために、高温で一定時間加熱されてもよい。これにより、接着力が低下または消滅する。
【００２０】
また、取り外し可能な接着層２０は、紫外線露光／分解接着層であってもよい。分解の際に、紫外線露光／分解接着層は、ＯＣＡを老化させるために、一定時間紫外線を露光されてもよい。これにより、接着力は低下または消滅する。
【００２１】
図３は、本発明の実施の形態にかかる接触感知ディスプレイの平面図を示す。接触感知ディスプレイは、順次積層された、タッチパネル１００と、光学用接着装置２００と、ディスプレイパネル３００と、を備える。図４は、図３のＡ−Ａ線に沿って得られた光学用接着層の断面図である。光学用接着装置２００は、第１の接着層２１０と、第２の接着層２３０と、第１の接着層２１０と第２の接着層２３０との間に設けられた取り外し可能な接着層２２０と、を備える。
【００２２】
上記の光学用接着装置においては、第１の接着層２１０と第２の接着層２３０は、ムラを除去するためのＯＣＡである。
【００２３】
図５は、図３のＡ−Ａ線に沿って得られた断面図である。第１の接着層２１０はタッチパネル１００を接着し、第２の接着層２３０はディスプレイパネル３００を接着する。ディスプレイパネルは、ＬＣＤパネル、プラズマパネル、及びＯＬＥＤ（Organic Light Emitting Diode）パネル等であってもよい。
【００２４】
第１の接着層２１０と第２の接着層２３０は、タッチパネル１００またはディスプレイパネル３００の粗面上に積層するために、両方とも熱流接着層であってもよい。
【００２５】
熱流型の材料は、室温で固体の状態である。また、熱流型の材料は、半液体の状態、半固体の状態に変化し、温度が所定の値を超えると、粘着性が高まり、化学的な特徴も変化する。熱流型の材料は、紫外線（ＵＶ）凝固、熱凝固、吸引嫌気性凝固、及び、湿気凝固のような追加工程を採用することによって、固体の状態に戻ることができる。
【００２６】
別の実施の形態においては、第１の接着層２１０は、感圧接着層であってもよい。また、第２の接着層２３０は、熱流接着層であってもよい。感圧接着層は、室温で固体の状態の間は、粘着性を有し、圧力に対してとても敏感になる。感圧接着層は、加熱工程なしで、押圧されている間、基材の表面に接着され、圧力が増加するとさらに強く接着される。
【００２７】
他の実施の形態においては、第１の接着層２１０は、ディスプレイパネル３００を接着してもよい。第２の接着層は、タッチパネル１００を接着してもよい。
【００２８】
図６は、図３の光学用接着層の分解の概略図を示す。取り外し可能な接着層２２０は、加工後に、第１の接着層２１０と第２の接着層２３０から容易に分解できるＯＣＡの一種である。取り外し可能な接着層２２０が分解されると、タッチパネル１００とディスプレイパネル３００は、互いに分離可能である。これにより、問題のあるタッチパネル１００またはディスプレイパネル３００は、再加工に進む。再加工後は、タッチパネル１００とディスプレイパネル３００は、本発明の新しい光学用接着装置を用いて、一緒に接着される。
【００２９】
本実施の形態においては、取り外し可能な接着層２２０は、伸展／分解接着層となっている。この伸展／分解接着層は、変形可能な基材を有する。分解において、取り外し可能な接着層２２０は、一端から伸ばされる。これにより、基材の形が変形して、厚さが減少し、変形により基材の両側が第１の接着層２１０と第２の接着層２３０から分離される。
【００３０】
他の実施例においては、取り外し可能な接着層２２０は、熱分解接着層であってもよい。分解の際に、熱分解接着層は、ＯＣＡを老化させるために、高温で一定時間加熱されてもよい。これにより、接着力が低下または消滅する。
【００３１】
また、取り外し可能な接着層２２０は、紫外線露光／分解接着層であってもよい。分解の際に、紫外線露光／分解接着層は、ＯＣＡを老化させるために、一定時間紫外線を露光されてもよい。これにより、接着力は低下または消滅する。
【００３２】
図７は、光学用接着装置の製造方法のフローチャートを示す。光学用接着装置は、第１の接着層と第２の接着層との間に重ねられた取り外し可能な接着層を有する。この方法は、さらに以下のステップを含む。
【００３３】
ステップＳ１００においては、第１の接着層を準備する。第１の接着層は、感圧接着層であってもよい。感圧接着層は、室温で固体の状態の間は、粘着性を有し、圧力に対してとても敏感になる。感圧接着層は、加熱工程なしで、押圧されている間、基材の表面に接着され、圧力が増加するとさらに強く接着される。
【００３４】
他の実施の形態においては、第１の接着層は、熱流接着層であってもよく、ムラを除去するためのＯＣＡの一種である。熱流型の材料は、室温で固体の状態である。熱流型の材料は、半液体や半固体の状態に変化し、温度が所定の値を超えると、粘着性が高まり、化学的な特徴も変化する。熱流型の材料は、紫外線（ＵＶ）凝固、熱凝固、吸引嫌気性凝固、及び、湿気凝固のような追加工程を採用することによって、固体の状態に戻ることができる。
【００３５】
ステップＳ２００においては、取り外し可能な接着層は、第１の接着層上に重ねられている。取り外し可能な接着層は、加工後に、第１の接着層と第２の接着層から容易に分解できるＯＣＡの一種である。
【００３６】
一実施の形態においては、取り外し可能な接着層は、伸展／分解接着層となっている。この伸展／分解接着層は、変形可能な基材を有する。分解において、取り外し可能な接着層は、一端から伸ばされる。これにより、基材の形が変形して、厚さが減少し、変形により基材の両側が第１の接着層と第２の接着層から分離される。
【００３７】
他の実施の形態においては、取り外し可能な接着層は、熱分解接着層であってもよい。分解の際に、熱分解接着層は、ＯＣＡを老化させるために、高温で一定時間加熱されてもよい。これにより、接着力が低下または消滅する。
【００３８】
また、取り外し可能な接着層は、紫外線露光／分解接着層であってもよい。分解の際に、紫外線露光／分解可能な接着層は、ＯＣＡを老化させるために、一定時間紫外線を露光されてもよい。これにより、接着力は低下または消滅する。
【００３９】
ステップＳ３００においては、第２の接着層が、取り外し可能な接着層上に重ねられる。第２の接着層は、熱流接着層であってもよい。
【００４０】
本発明は、構造的な特徴及び／または方法論的な図に特有の言語で表現されているが、添付の特許請求の範囲に定義された発明は、表現された特有の特徴または図に限定されるものではない。さらに、上記の特有の特徴及び図は、特許請求の範囲に記載された発明を実施する一例として開示されている。
【国際調査報告】
2014516089.tif 000010
2014516089.tif 000011
2014516089.tif 000012